(57)【特許請求の範囲】
【請求項１】
底板１の左右に折線ａ、ａを介してそれぞれ側板２、２を連接し、該側板２、２の外側に折線ｄ、ｄを介してそれぞれ蓋板３、３を連接し、前記底板１の上下に折線ｂ、ｂを介してそれぞれ側板４、４を連接し、該側板４、４の外側に折線ｅ、ｅを介してそれぞれ折り返し片５、５を連接し、底板１と該底板１の上下に連接する側板４、４と折り返し片５、５とを縦断する２本の折線ｃ、ｃが前記折線ａ、ａと所定の間隔をもって平行に設けられてなるブランク１０´を組立ててなる直方体状の収納箱１０と、前板１１の両側に折線ｆ、ｆを介して左右側板１２、１３を連接し、該左右側板１２、１３の外側に折線ｇ、ｇを介してそれぞれ糊代１４、１４を連接し、該糊代１４、１４を除く各部の上下に折線ｈ、ｉを介してそれぞれ折り返し片１５、１６を連接してなるブランク２０´を組立ててなり、前記収納箱１０の前記底板１と共に四角柱体を形成するスタンド形成部２０と、一枚の板紙からなるディスプレーパネル３０と、商品載置板５０と、２枚の支持板３１、３２からなり、中央には十字にいれこ状に組める切り欠き３３が設けられているブランク４０´を組み立ててなる支持体４０とからなり、
前記スタンド形成部２０は、前記両側板１２、１３が中央縦折線ｊによって内側に中折れした状態で前記糊代１４、１４と前記収納箱１０の前記底板１の前記折線ｃの内側部分とで糊貼りされ、前記ディスプレーパネル３０は、前記収納箱１０の一方の前記折り返し片５とディスプレーパネル上部２１とで糊貼りされ、前記支持体４０の前記ブランク４０´と前記商品載置板５０を前記スタンド形成部２０の上に載せ、前記折り返し片５と前記蓋板３とで、前記スタンド形成部２０と、前記ディスプレーパネル３０と、前記支持体４０と、前記商品載置板５０とを包み込むことにより、前記収納箱１０と、前記スタンド形成部２０と、前記ディスプレーパネル３０とが、一体的に連結され、且つ折り畳まれて、残る前記支持体４０と前記商品載置板５０も併せて前記収納箱１０に収納することができ、
組み立てるには、前記収納箱１０を開封し、前記収納箱１０の前記ディスプレーパネル３０が糊貼りされていない方の前記折り返し片５と前記側板４を折線ｂで収納する時とは逆方向に折り畳んでおいてから、折線ｃ、ｃで該折線ｃ、ｃよりも外側部分を収納する時とは逆方向に総て９０°折り返し、次いで折線ａ、ａよりも外側部分を収納する時とは逆方向に９０°折り返し、平行に並んだ２本のリブＲを有する構造体を裏側に形成し、前記ディスプレーパネル上部２１を直立して固定し、前記スタンド形成部２０を前面に引出して前記四角柱体を形成し、前記支持体４０、前記商品載置板５０の順に前記四角柱体内に挿着させることを特徴とする陳列台。
【請求項２】
前記スタンド形成部２０の上下両端部が、２重折線によって折り返されて、額縁状の端縁が形成されてなることを特徴とする請求項１に記載の陳列台。
【発明の詳細な説明】
【０００１】
【発明の属する技術分野】
本発明は、極めてコンパクトに折り畳むことができ、且つ、ワンタッチ操作で容易に現場組立を可能としたディスプレーパネル付き陳列台に関する。
【０００２】
【従来の技術】
従来から、特定な新商品の販促キャンペーンにあたり、店頭における顧客の商品購入の動機付けに、ＰＯＰ（購買時点）ディスプレイが取り付けられた即席の陳列台が使用されている。これらの陳列台に共通する課題は、コンパクトに折り畳んで現場への搬送を容易にし、且つ現場で容易に、迅速に、組立ができることである。この課題の解決のために、これまでに種々の提案がなされているが、その一例を挙げれば、実公昭６１−１８０６３号公報に、図５の従来の陳列台の説明図に示すような、縦型の矩形筒Ｃと、その内部に梁として組み込まれる複数の縦板Ｂ，Ｂ’と、縦板の上面縁を支持線として、その支持線上に置かれる座板Ａからなる陳列台（支持台）７０が提案されている。
【０００３】
【発明が解決しようとする課題】
しかるに、実公昭６１−１８０６３号公報で提案されているものは、スタンドを形成する矩形筒Ｃとその中に連接されて井桁状に組み込まれる一部の縦板Ｂ’とをフラットに押し潰して、これに残りの縦板Ｂ，座板Ａを添付して組立現場に搬送するが、押し潰された組み込み部材はかなりの面積を占有し、搬送に問題がある。また、この提案においては、ディスプレーパネルは部材として配慮されていない。
本発明は、前述の問題点に鑑みてなされたもので、スタンドを中心に、ディスプレーパネルまでも極めてコンパクトに折り畳む事が出来、しかも、組立現場においてディスプレーパネルの付いた陳列台を容易に、迅速に組立可能な陳列台の提供を目的とする。
【０００４】
【課題を解決するための手段】
前記課題を解決するためになされた本発明の陳列台は、底板１の左右に折線ａ、ａを介してそれぞれ側板２、２を連接し、該側板２、２の外側に折線ｄ、ｄを介してそれぞれ蓋板３、３を連接し、前記底板１の上下に折線ｂ、ｂを介してそれぞれ側板４、４を連接し、該側板４、４の外側に折線ｅ、ｅを介してそれぞれ折り返し片５、５を連接し、底板１と該底板１の上下に連接する側板４、４と折り返し片５、５とを縦断する２本の折線ｃ、ｃが前記折線ａ、ａと所定の間隔をもって平行に設けられてなるブランク１０´を組立ててなる直方体状の収納箱１０と、前板１１の両側に折線ｆ、ｆを介して左右側板１２、１３を連接し、該左右側板１２、１３の外側に折線ｇ、ｇを介してそれぞれ糊代１４、１４を連接し、該糊代１４、１４を除く各部の上下に折線ｈ、ｉを介してそれぞれ折り返し片１５、１６を連接してなるブランク２０´を組立ててなり、前記収納箱１０の前記底板１と共に四角柱体を形成するスタンド形成部２０と、一枚の板紙からなるディスプレーパネル３０と、商品載置板５０と、２枚の支持板３１、３２からなり、中央には十字にいれこ状に組める切り欠き３３が設けられているブランク４０´を組み立ててなる支持体４０とからなり、前記スタンド形成部２０は、前記両側板１２、１３が中央縦折線ｊによって内側に中折れした状態で前記糊代１４、１４と前記収納箱１０の前記底板１の前記折線ｃの内側部分とで糊貼りされ、前記ディスプレーパネル３０は、前記収納箱１０の一方の前記折り返し片５とディスプレーパネル上部２１とで糊貼りされ、前記支持体４０の前記ブランク４０´と前記商品載置板５０を前記スタンド形成部２０の上に載せ、前記折り返し片５と前記蓋板３とで、前記スタンド形成部２０と、前記ディスプレーパネル３０と、前記支持体４０と、前記商品載置板５０とを包み込むことにより、前記収納箱１０と、前記スタンド形成部２０と、前記ディスプレーパネル３０とが、一体的に連結され、且つ折り畳まれて、残る前記支持体４０と前記商品載置板５０も併せて前記収納箱１０に収納することができ、組み立てるには、前記収納箱１０を開封し、前記収納箱１０の前記ディスプレーパネル３０が糊貼りされていない方の前記折り返し片５と前記側板４を折線ｂで収納する時とは逆方向に折り畳んでおいてから、折線ｃ、ｃで縦方向に連接部分を収納する時とは逆方向に総て９０°折り返し、次いで折線ａ、ａよりも外側部分を収納する時とは逆方向に９０°折り返し、平行に並んだ２本のリブＲを有する構造体を裏側に形成し、前記ディスプレーパネル上部２１を直立して固定し、前記スタンド形成部２０を前面に引出して前記四角柱体を形成し、前記支持体４０、前記商品載置板５０の順に前記四角柱体内に挿着させることを構成とするものである。前記スタンド形成部２０の上下両端部は、２重折線によって折り返されて額縁状の端縁を形成することが好ましい。
【０００５】
【発明の実施の形態】
本発明を図面により詳しく説明する。
図１は、本発明による陳列台の外観説明図である。
本発明による陳列台６０は、直方体の収納箱１０（組立時には背後において構造体となる）と、収納箱１０の底板１（図１においては四角柱体の後板に相当する）と共に四角柱体を形成するスタンド形成部２０と、収納箱に二つ折されて接合されているディスプレーパネル３０と四角柱体内に十字状に組み込まれる支持体４０と、その上端縁に接して置かれる商品載置板５０とからなるものである。
収納箱１０は、図１には、現れないが、本発明による陳列台６０の中心的部材であって、総ての部材の収納機能の他に、ディスプレーパネル３０の背後において、構造体としての機能を有している。
スタンド形成部２０の上端部は、商品展示を効果的にするため、また意匠上前傾している。また、上下端部は、基材（Ｅフルート段ボール等）が２重折線によってコの字状に折り返されて額縁状の端縁が形成されている。これは、四角柱体の剛性の確保とともに、全体にボリューム感を持たせ、また、段ボール等の基材の汚らしい裏面、端面が直視されないようにするためである。
ディスプレーパネル３０は、一枚の板状に展開されてスタンド形成部２０の背後に直立している。
支持体４０は、目視できないが、四角柱体内に組み込まれて、商品載置板５０とその上に配列される商品の荷重を支えている。
商品載置板５０は、所定のレベルになるように、支持体４０の上端縁に接して置かれている。
【０００６】
図２は、本発明による陳列台を構成する各部材のブランク展開図である。
図２（ａ）は、収納箱１０のブランク展開図である。
収納箱のブランク１０’は、底板１の左右に折線ａを介して側板２を連接し、さらに、側板２の外側に折線ｄを介して蓋板３を連接し、底板１の上下に折線ｂを介して側板４を連接し、さらに側板の外側に折線ｅを介して折り返し辺５を連接してなるものである。また、一方の蓋板３の端辺には差し込み片６を延設し、もう一方の蓋板３に隣接する側板には折線ａに沿ってスリット７が設けられている。
さらに、底板１とその上下に連接する側板４、折り返し片５を縦断する２本の折線ｃが前記折線ａと所定の間隔をもって平行に設けられている。
以上の折線はｃ、ｄを除けば総て両方向に容易に収納箱のブランク１０’が折れ曲がるように加工されている。
【０００７】
図２（ｂ）は、スタンド形成部２０のブランク展開図である。
スタンド形成部のブランク２０’は、前板１１の両側に２重折線ｆを介して左右側板１２、１３を連接し、それらの外側に、さらに二重折線ｇを介して糊代１４を連接し、糊代１４を除く各部の上下に折り返し片１５、１６をそれぞれ２重折線ｈ，ｉを介して連接してなるものである。
図２（ｃ）は、ディスプレーパネル３０のブランク展開図である。
ディスプレーパネルのブランク３０’は一枚の板紙からなるパネルであるが、収納の都合上、折り畳み可能にする折線ｋが設けられていて、ディスプレーパネル上部２１とディスプレーパネル下部２２とからなっていて、二つ折される。
図２（ｄ）は、支持体４０のブランク展開図である。
支持体のブランク４０’は、２枚の支持板３１、３２からなり、これらは、スタンド形成部２０の対角線に沿って組み込まれるための横幅と、商品載置板５０を適宜なレベルに支持できる高さを有し、さらに商品を支持できるだけの圧縮強さを有する基材からなり、中央には十字にいれこ状に組める切り欠き３３が設けられている。
図２（ｅ）は、商品載置板５０のブランク展開図であって、商品載置板のブランク５０’は、四角形の板の周辺に折り返し片４１、４２を設けたものであって、中央には二つ折可能な折線ｌが設けられている。これは、収納可能な大きさに折り畳むためである。
【０００８】
図３は、本発明による陳列台の折り畳み機能の説明図である。
本発明による陳列台６０の３種の部材、すなわち、収納箱１０と、スタンド形成部２０と、ディスプレーパネル３０とは、図３（ａ）に示すように、一体的に接合されている。
先ず、スタンド形成部２０は、両側板１２、１３が中央縦折線ｊによって内側に中折れした状態でその糊代１４と収納箱１０の底板１の折線ｃの内側部分とで糊貼りされている。（図２（ａ）、（ｂ）参照）
ディスプレーパネル３０は、図３（ａ）に示すように、折線ｋで二つ折りされた状態で、収納箱１０の一方の折り返し片５とディスプレーパネル上部２１とが糊貼りされている。（図２（ａ）、（ｃ）参照）
従って、図３には記載されていないが、支持体のブランク４０’と二つ折された商品載置板のブランク５０’をスタンド形成部２０の上に載せ、折り返し片５と蓋板３でそれらを包み込むと図３（ｂ）に示すように収納箱１０内に総ての部材を収納することができる。
本発明による陳列台６０は、このような収納機能を生かして、極めてコンパクトな状態で、しかも外装用の外箱を別途使用することなく組立現場に配送可能であるので、流通経費の削減とともに、組立部品の管理も容易になる。また、使用後も、収納箱１０に総ての部材を収納して廃棄することができ、基材が総て紙からなることも相まって廃棄性に優れている。
【０００９】
図４は、本発明による陳列台の組立状態の説明図である。
本発明による陳列台６０を現場において組み立てるには、図３、（ｂ）のような荷姿で配送される本発明による陳列台６０を、図３（ａ）に示す状態に開封し、収納箱１０を今度は逆の方向に折り返し、図４に示すように組み立てればよい。すなわち、収納箱１０のディスプレーパネル３０が糊貼りされていない方の折り返し片５と側板４（図３（ａ）では後側）を折線ｂで図３とは逆方向に折り畳んでおいてから、折線ｃで縦方向に連接する部分を総て９０°折り返し、次いで折線ａよりも外側部分を９０°折り返し、差し込み片６をスリット７に差し込むと、平行に並んだ２本のリブＲを有する構造体を裏側に形成することができ、本発明による陳列台６０は全体に剛性が付与された状態で組立てられ、ディスプレーパネル上部２１は直立して固定する。
次いで、スタンド形成部２０を前面に引出して四角柱体を形成し、ディスプレーパネルの下部２２を四角柱体の中に折り返して、底板１に沿ってぶら下がるいうにし、支持体４０、商品載置板５０の順に四角柱体内に挿着させると組立が完了する。商品載置板５０は、この場合にスタンド形成部２０を一杯に拡げ四角柱体を形成するように機能する。
【００１０】
本発明による陳列台６０の各部材に使用される素材は、陳列台の大きさ次第で種々の板紙あるいは段ボールの組み合わせが利用できるが、例えば、角柱体の内法寸法、若しくは商品載置板５０の一辺が２００〜３００ｍｍ程度の大きさの陳列台６０の場合に、次のような素材の組み合わせが好適である。
収納箱１０                  Ａフルート段ボール
スタンド形成部２０          Ｅフルート段ボール
ディスプレーパネル３０      板紙（７００〜８５０ｇ／ｍ2 ）
支持体４０                  Ａフルート段ボール
商品載置板５０              Ｅフルート段ボール
段ボールを使用する場合は、陳列台の表面に現れる部分について化粧を施すことが望ましい。白ライナ、カラーライナを使用する段ボールに対しては、プリンタースロッターによるフレキソ印刷方式が最適であるが、フレキソ印刷等でプレプリントしたライナー原紙をコルゲート加工してもよく、また予め印刷した薄葉紙をラミネートするいわゆる合紙方式を採用してもよい。この薄葉紙への印刷の自由度は大きくオフセット、グラビア、フレキソ等の周知のいかなる印刷方法によってもよい。
また、ディスプレーパネル３０には端面が段ボールよりも綺麗な板紙を使用するが、かなりの厚みを必要とするので、直接印刷が行いにくくなる場合は、段ボールと同じように合紙方式を採用してもよい。
【００１１】
【発明の効果】
本発明による陳列台６０によれば、一体的に連結されている収納箱１０と、スタンド形成部２０、とディスプレーパネル３０を折り畳んで、これに支持体４０と、商品載置板５０をブランクの形で含めて一括して収納箱１０の中に収納することができるので、別途外箱を使用する必要がなくなり、極めてコンパクトな荷姿で使用現場に配送することができるので、流通経費の節減になるとともに、部材管理も容易になる。
さらに、使用現場において、容易に、迅速に組み立てることができる。
スタンド形成部２０の上端縁は額縁状を呈し、段ボール等の基材の裏面あるいは端面が客の目に触れないような配慮がなされているので、意匠的にも、外観的にも優れたものを提供することができる。
本発明による陳列台は、食品、飲料、化粧品、医薬品、医薬部外品、一般生活用品等幅広い商品を対象として、通常の新製品の販売促進はもとより、生活歳時や各種イベントに合わせた販促ツールとしての利用が可能である。
さらに、本発明による陳列台は、使用後、再度折り畳んで減容化して廃棄することができ、また、総て紙製であるため、廃棄適性に優れ、環境負荷を下げることができる。
【図面の簡単な説明】
【図１】本発明による陳列台の外観説明図
【図２】本発明による陳列台を構成する各部材のブランク展開図
【図３】本発明による陳列台の折り畳み機能の説明図
【図４】本発明による陳列台の組立状態の説明図
【図５】従来の陳列台の説明図
【符号の説明】
１    底板
２    側板
３    蓋板
４    側板
５    折り返し片
６    差し込み片
７    スリット
１０    収納箱
１０’  収納箱のブランク
１１    前板
１２、１３    側板
１４    糊代
１５、１６    折り返し片
２０    スタンド形成部
２０’  スタンド形成部のブランク
２１    ディスプレーパネル上部
２２    ディスプレーパネル下部
３０    ディスプレーパネル
３０’  ディスプレーパネルのブランク
３１、３２    支持板
４０    支持体
４０’  支持体のブランク
４１    折り返し片
５０    商品載置板
６０    本発明による陳列台
７０    従来の陳列台
ａ〜ｌ    折線
ｊ    中央縦折線
ｆ〜ｉ    ２重折線
Ｒ    リブ
【図１】
0004286932.tif 000002
【図２】
0004286932.tif 000003
【図３】
0004286932.tif 000004
【図４】
0004286932.tif 000005
【図５】
0004286932.tif 000006